(57)【要約】【課題】遊技盤を透して画像を視認可能としつつ、遊技用部品の脱落や遊技盤の破損を回避し得る遊技機を提供する。【解決手段】遊技球Ｂの移動が可能に構成されると共に少なくとも一部が光透過性を有する材料で形成された遊技盤１１ａと、遊技球Ｂを案内する遊技用部品（釘１３等）と、遊技盤１１ａの背面側に配設されて画像を表示するスクリーンパネル２３と、少なくとも一部が光透過性を有する材料で形成されると共に遊技球Ｂの移動を可能とする遊技部Ｓが形成されるようにして遊技盤１１ａに重ねて配設された遊技用部品固定盤１１ｂとを備え、遊技盤１１ａおよび遊技用部品固定盤１１ｂは、スクリーンパネル２３に表示された画像を各々の少なくとも一部を透して視認可能に配置され、遊技用部品のうちの少なくとも釘１３は、遊技盤１１ａと遊技用部品固定盤１１ｂとに架け渡されるようにして固定されている。【選択図】図２
2005124628.tif 000002
【特許請求の範囲】
【請求項１】
遊技球の移動が可能に構成されると共に少なくとも一部が光透過性を有する材料で形成された遊技盤と、前記遊技球を案内する遊技用部品と、前記遊技盤の背面側に配設されて画像を表示する表示部と、少なくとも一部が光透過性を有する材料で形成されると共に前記遊技球の移動を可能とする空間が形成されるようにして前記遊技盤に重ねて配設された遊技用部品固定盤とを備え、
前記遊技盤および前記遊技用部品固定盤は、前記表示部に表示された前記画像を各々の前記少なくとも一部を透して視認可能に配置され、
前記遊技用部品のうちの少なくとも一部は、前記遊技盤と前記遊技用部品固定盤とに架け渡されるようにして固定されている遊技機。
【請求項２】
前記遊技用部品のうちの前記少なくとも一部としての釘が前記遊技盤と前記遊技用部品固定盤とに架け渡されるようにして固定されている請求項１記載の遊技機。
【請求項３】
前記遊技盤および前記遊技用部品固定盤の表裏各面のうちの少なくとも一面には、無反射コートが施されている請求項１または２記載の遊技機。
【発明の詳細な説明】
【技術分野】
【０００１】
本発明は、表示部に表示される画像を遊技盤を透して視認可能に構成されている遊技機に関するものである。
【背景技術】
【０００２】
この種の遊技機として、遊技盤を透して、その背面側に配設された表示部に表示される遊技用の画像（表示画面）を視認可能に構成されている遊技装置１１（パチンコ機）が特開平１０−２７２２３１号公報に開示されている。具体的には、この遊技装置１１は、同公報の図２に示すように、その中央部に透明板１８が嵌合された遊技盤１２と、透明板１８の背面側に配設されて画像を表示する表示装置１７とを備えている。この場合、遊技盤１２には、複数の釘１４，１４・・や回転車１５などの遊技用部品が固定されている。また、透明板１８は、ポリメチルメタクリレート等の透明樹脂材料で厚み２０ｍｍ程度に形成されている。また、透明板１８には、遊技盤１２と同様にして複数の釘１４，１４・・が固定されている。
【０００３】
この遊技装置１１では、釘１４，１４・・の抜けを防止するために、その製造時に釘１４が透明板１８に以下の手順で植設されている。まず、その内径が釘１４の直径よりも僅かに細径の下孔２１（同公報の図４参照）を透明板１８に形成する。次に、ヒータ２２（同公報の図４参照）によって釘１４を２５０℃程度まで加熱しつつ、その先端部を下孔２１に１６ｍｍ程度圧入する。この後、遊技盤１２および釘１４を常温まで冷却することによって透明板１８に対する釘１４の植設が完了する。これにより、遊技盤１２（透明板１８）を透しての画像等の視認を可能としつつ、表示装置１７の正面側を含む広い範囲に内に釘１４，１４・・を植設してパチンコ玉１３の移動範囲を拡大することが可能となっている。
【特許文献１】特開平１０−２７２２３１号公報
【発明の開示】
【発明が解決しようとする課題】
【０００４】
ところが、従来の遊技装置１１には、以下の問題点がある。すなわち、この遊技装置１１では、加熱した釘１４の先端部を透明板１８の下孔２１に圧入することによって透明板１８からの釘１４の抜けを防止しようとしている。この場合、遊技装置１１の組み立て時において透明板１８の下孔２１に釘１４を十分に深く圧入することで、組み立て直後においては、釘１４の抜けが防止されている。一方、この種のパチンコ台では、遊技盤１２（透明板１８）の上を移動するパチンコ玉１３が釘１４に当たる都度、釘１４を下向きに折り曲げようとする力が働いて下孔２１の口縁部に釘１４が強く押し付けられる。この際に、木製の一般的な遊技盤では、釘を介して伝達された力を遊技盤自体がある程度吸収するため、その破損が回避される。しかし、この従来の遊技装置１１では、表示装置１７に表示した画像の視認を可能とするために、樹脂材料製の透明板１８を採用している。このため、釘を介して伝達された力が透明板１８によって吸収され難く、パチンコ玉１３が釘１４に当たる都度、透明板１８における下孔２１の口縁部に極く小さな破損が生じる。この結果、この遊技装置１１を長期に亘って使用し続けた場合、釘１４（遊技用部品）の脱落（抜け）や、透明板１８（遊技盤）の欠けが生じるという問題点がある。
【０００５】
また、従来の遊技装置１１では、表示装置１７に表示された画像についての光が透明板１８の背面で遊技装置１１の内側に向けて反射されて画像の表示効率が低下する。このため、透明板１８を透して視認される画像が暗くなるという問題点がある。さらに、遊技装置１１を設置した遊技場内の照明が透明板１８などに写り込むため、画像の視認性が一層悪化しているという問題点もある。
【０００６】
本発明は、かかる問題点に鑑みてなされたものであり、遊技盤を透して画像を視認可能としつつ、遊技用部品の脱落や遊技盤の破損を回避し得る遊技機を提供することを主目的とする。また、画像の視認性を向上し得る遊技機を提供することを他の目的とする。
【課題を解決するための手段】
【０００７】
上記目的を達成すべく本発明に係る遊技機は、遊技球の移動が可能に構成されると共に少なくとも一部が光透過性を有する材料で形成された遊技盤と、前記遊技球を案内する遊技用部品と、前記遊技盤の背面側に配設されて画像を表示する表示部と、少なくとも一部が光透過性を有する材料で形成されると共に前記遊技球の移動を可能とする空間が形成されるようにして前記遊技盤に重ねて配設された遊技用部品固定盤とを備え、前記遊技盤および前記遊技用部品固定盤は、前記表示部に表示された前記画像を各々の前記少なくとも一部を透して視認可能に配置され、前記遊技用部品のうちの少なくとも一部は、前記遊技盤と前記遊技用部品固定盤とに架け渡されるようにして固定されている。この場合、前記表示部の少なくとも一部を覆うようにして前記遊技用部品固定盤を配設するのが好ましい。
【０００８】
この遊技機では、光透過性を有する材料で形成されて遊技球が移動可能な空間が形成されるように重ねて配置された遊技盤および遊技用部品固定盤に遊技用部品が架け渡されるようにして固定されている。したがって、遊技球の衝突によって遊技用部品に加わる衝撃が遊技盤および遊技用部品固定盤の双方における厚み方向のほぼ全域に分散するようにして伝達される。この結果、遊技盤および遊技用部品固定盤における遊技用部品固定用の挿通孔（または挿入穴）の口縁部にストレスが集中する事態を回避することができる。したがって、遊技盤および遊技用部品固定盤を透しての画像の視認を可能としつつ、遊技盤および遊技用部品固定盤の破損や遊技用部品の脱落（抜け）が生じる事態を回避することができる。
【０００９】
また、本発明に係る遊技機は、前記遊技用部品のうちの前記少なくとも一部としての釘が前記遊技盤と前記遊技用部品固定盤とに架け渡されるようにして固定されている。
【００１０】
この遊技機では、遊技用部品のうちの少なくとも一部としての釘が遊技盤と遊技用部品固定盤とに架け渡されるようにして固定されている。したがって、各遊技用部品のなかで、遊技盤および遊技用部品固定盤に接している面積が比較的小さくて遊技盤および遊技用部品固定盤に与えるストレスが大きい釘に加わる衝撃を遊技盤および遊技用部品固定盤の双方に分散させることができる。したがって、遊技盤および遊技用部品固定盤の破損や、釘の脱落（抜け）が生じる事態を確実に回避することができる。
【００１１】
さらに、本発明に係る遊技機は、前記遊技盤および前記遊技用部品固定盤の表裏各面のうちの少なくとも一面には、無反射コートが施されている。
【００１２】
この遊技機では、遊技盤および遊技用部品固定盤における表裏各面のうちの少なくとも一面に無反射コートが施されている。この場合、遊技盤および遊技用部品固定盤の背面側に無反射コートを施せば、画像の表示効率の低下を回避し、または、軽減することができるため、画像を明るく表示させることができる。また、遊技盤および遊技用部品固定盤の表面側に無反射コートを施せば、遊技機を設置した遊技場内の照明の遊技盤および遊技用部品固定盤に対する写り込みを回避することができる。
【発明を実施するための最良の形態】
【００１３】
以下、添付図面を参照して、本発明に係る遊技機の最良の形態について説明する。
【００１４】
図１に示すパチンコ台１は、本発明に係る遊技機に相当し、一例として、抽選によって「大当たり」が生じる「セブン機」タイプのパチンコ台であって、遊技用の画像Ｇ（この例では、大地、富士山、および数字の「１２３」）を遊技盤１１ａ（図２参照）の背面側で表示して、パチンコ台１の正面側から遊技盤１１ａおよび遊技用部品固定盤１１ｂを透して画像Ｇを視認可能に構成されている。具体的には、図２に示すように、このパチンコ台１は、遊技機構２、制御装置３および表示装置４が筐体５内に配設されて構成されている。
【００１５】
遊技機構２は、図２に示すように、遊技盤１１ａ、遊技用部品固定盤（以下、「固定盤」ともいう）１１ｂおよび駆動機構１２を備えている。遊技盤１１ａおよび固定盤１１ｂは、光透過性を有する樹脂材料（一例としてポリカーボネート）で例えば長方形の板状に形成されると共に、その表裏両面に無反射コートがそれぞれ施されている。また、遊技盤１１ａおよび固定盤１１ｂは、遊技球（パチンコ球）Ｂが通過可能な程度の隙間（空間）が形成されるように枠部材Ｆを挟んで重ねて配置されている。また、図１に示すように、遊技盤１１ａおよび固定盤１１ｂは、枠部材Ｆによって区画された円形の遊技部Ｓ内で遊技球Ｂが移動可能に構成されている。一方、遊技部Ｓには、図１，２に示すように、複数の釘１３，１３・・、スタートチャッカー１４、大入賞口（アタッカー）１５、入賞口１６，１６および風車１７，１７などの遊技用部品が配設されている。
【００１６】
この場合、このパチンコ台１では、釘１３，１３・・や風車１７，１７が遊技盤１１ａおよび固定盤１１ｂの間に配設されて遊技盤１１ａおよび固定盤１１ｂの間に架け渡されるようにして固定されている。具体的には、図３に示すように、このパチンコ台１では、釘１３が固定盤１１ｂに形成された挿通孔Ｈａを貫通させられると共に、その先端部が遊技盤１１ａに形成された挿通孔Ｈａに挿入（圧入）されて固定されている。また、図４に示すように、風車１７は、そのシャフト１７ａの両端が遊技盤１１ａおよび固定盤１１ｂにそれぞれ形成された挿入穴Ｈｂに挿入（圧入）されて固定されている。さらに、図２に示すように、固定盤１１ｂの正面には、透明なガラス板１８ａが嵌め込まれた扉１８が取り付けられている。この場合、ガラス板１８ａは、遊技盤１１ａおよび固定盤１１ｂと同様にして、その表裏両面に無反射コートが施されている。駆動機構１２は、筐体５内の底面側に配設されて、制御装置３の制御下で大入賞口１５を駆動すると共に、遊技球Ｂの回収や払出しなどを実行する。
【００１７】
制御装置３は、駆動機構１２と表示装置４とを統括的に制御すると共に、スタートチャッカー１４に遊技球Ｂが入賞した際に抽選を実行する。また、制御装置３は、例えば抽選の開始時や大当たりの発生時などの遊技状態の変化時に画像Ｇの表示内容を指示するコマンドを出力することにより、表示装置４に対して画像表示処理を実行させて各種画像Ｇを表示させる。
【００１８】
表示装置４は、一例として、画像Ｇ等を表示可能に構成されたプロジェクタ装置で構成されている。この表示装置４は、画像表示ユニット２１（図２参照）と、画像表示処理を実行する表示制御部と、画像Ｇの表示手順や画像Ｇを構成する各種画像についてのデータを記憶する記憶部（いずれも図示せず）とを備えて構成されている。画像表示ユニット２１は、図２に示すように、光学エンジン２２、スクリーンパネル２３および反射ミラー２４を備えている。光学エンジン２２は、例えば３つの光変調素子を備えた３板式透過型液晶タイプの光学エンジンであって、複数の高輝度のＬＥＤ、レンズアレイおよびＬＥＤ駆動部等が配設された光源ユニットと、光変調素子としての液晶ライトバルブと、光合成用のプリズムと、投射レンズと（共に図示せず）を備えて構成されている。この光学エンジン２２は、投射レンズから射出した投射光Ｌｐが反射ミラー２４によってスクリーンパネル２３の背面に向けて反射されるように、所定の傾斜角度で傾斜させられて筐体の底面寄りの位置に固定されている。この場合、光学エンジン２２は、表示制御部によって出力された表示用画像データに基づいて光変調した投射光Ｌｐを反射ミラー２４に向けて投射する。
【００１９】
スクリーンパネル２３は、本発明における表示部に相当し、筐体の底面に対してほぼ垂直となるようにして遊技盤１１ａの背面側に配置されて、その背面側から投射された（反射ミラー２４によって反射された）投射光Ｌｐを受光（結像）して画像Ｇ等の各種画像を表示する。この場合、スクリーンパネル２３は、一例として、投射光Ｌｐを平行光に変換するフレネルレンズと、平行光を拡大（拡散）光に変換するレンチキュラーレンズと、拡大光を透過させると共にレンチキュラーレンズを保護する保護板として機能する樹脂板（いずれも図示せず）とを一体形成して構成されている。反射ミラー２４は、所定の角度で傾斜させられた状態で筐体の背面側に固定されて、光学エンジン２２によって射出された投射光Ｌｐをスクリーンパネル２３の背面に向けて反射する。
【００２０】
このパチンコ台１では、電源が投入された際に、制御装置３が表示装置４に画像表示処理を開始させる。具体的には、制御装置３は、画像Ｇを表示させるための表示手順を指定するコマンドを表示装置４に出力する。これに応じて、表示装置４の表示制御部が、コマンドの内容に基づいて画像表示処理を実行する。この画像表示処理では、表示装置４は、制御装置３から出力されたコマンドによって指定されている表示手順データを記憶部から読み出すと共に、読み出した表示手順データの内容に従って各図柄データを図柄データ記憶部から読み出す。次いで、読み出した図柄データに基づいて表示用画像データを生成し、生成した表示用画像データを光学エンジン２２に出力する。これに応じて光学エンジン２２は、各液晶ライトバルブが、各光源ユニットから射出された光を表示用画像データに基づいて光変調する。この際に、各液晶ライトバルブによって光変調された光をプリズムが合成して投射光Ｌｐを射出し、この投射光Ｌｐを投射レンズが拡大する。また、投射レンズによって拡大された投射光Ｌｐは、図２に示すように、反射ミラー２４によって反射されて、スクリーンパネル２３に投射される。これにより、図１に示すように、スクリーンパネル２３に画像Ｇが表示される。
【００２１】
この際に、このパチンコ台１では、遊技盤１１ａおよび固定盤１１ｂの双方が光透過性を有する樹脂材料で形成されているため、スクリーンパネル２３に表示された画像Ｇをパチンコ台１の正面側から遊技盤１１ａおよび固定盤１１ｂを透して視認することができる。また、このパチンコ台１では、遊技盤１１ａ、固定盤１１ｂおよびガラス板１８ａのそれぞれの表裏両面に無反射コートが施されているため、スクリーンパネル２３に表示されている画像Ｇに対応する光の、遊技盤１１ａ、固定盤１１ｂおよびガラス板１８ａの背面におけるパチンコ台１の筐体内部に向けての反射（画像Ｇの表示効率の低下）が回避される。また、パチンコ台１が設置された遊技場内の照明の、遊技盤１１ａ、固定盤１１ｂおよびガラス板１８ａへの写り込みが回避される。
【００２２】
この状態で、遊技者によって遊技が開始された際には、駆動機構１２によって発射された遊技球Ｂが遊技部Ｓ（遊技盤１１ａおよび固定盤１１ｂの間）を移動する。この際に、遊技球Ｂの落下に伴い、遊技部Ｓ内において、遊技球Ｂが釘１３，１３・・や風車１７，１７などに衝突する。この場合、このパチンコ台１では、釘１３が遊技盤１１ａおよび固定盤１１ｂの間に架け渡されるようにして固定されているため、遊技球Ｂの衝突によって釘１３に加えられた力は、挿通孔Ｈａを形成する壁面の全域を介して遊技盤１１ａおよび固定盤１１ｂの双方における厚み方向のほぼ全域に分散するようにして伝達される。この結果、遊技盤１１ａおよび固定盤１１ｂにおける挿通孔Ｈａの口縁部にストレスが集中する事態が回避されて挿通孔Ｈａの口縁部の破損が防止される。同様にして、このパチンコ台１では、風車１７のシャフト１７ａが遊技盤１１ａおよび固定盤１１ｂの間に架け渡されているため、遊技球Ｂの衝突によって風車１７に加えられた力は、挿入穴Ｈｂを形成する壁面の全域を介して遊技盤１１ａおよび固定盤１１ｂの双方における厚み方向のほぼ全域に分散するようにして伝達される。この結果、遊技盤１１ａおよび固定盤１１ｂにおける挿入穴Ｈｂの口縁部にストレスが集中する事態が回避されて挿入穴Ｈｂの口縁部の破損が防止される。
【００２３】
このように、このパチンコ台１によれば、光透過性を有する材料で形成して遊技球Ｂが移動可能な遊技部Ｓが形成されるように重ねて配置した遊技盤１１ａおよび固定盤１１ｂに釘１３，１３・・や風車１７などを架け渡して固定したことにより、遊技球Ｂの衝突によって釘１３や風車１７に加わる衝撃が遊技盤１１ａおよび固定盤１１ｂの双方における厚み方向のほぼ全域に分散するようにして伝達される。この結果、遊技盤１１ａおよび固定盤１１ｂにおける挿通孔Ｈａおよび挿入穴Ｈｂの口縁部にストレスが集中する事態を回避することができる。したがって、遊技盤１１ａおよび固定盤１１ｂを透しての画像Ｇの視認を可能としつつ、遊技盤１１ａおよび固定盤１１ｂの破損や、釘１３およびシャフト１７ａの脱落（抜け）が生じる事態を回避することができる。
【００２４】
また、このパチンコ台１によれば、遊技用部品のうちの少なくとも一部としての釘１３を遊技盤１１ａと固定盤１１ｂとに架け渡すようにして固定したことにより、各遊技用部品のなかで、遊技盤１１ａおよび固定盤１１ｂに対して接している面積が比較的小さくて遊技盤１１ａおよび固定盤１１ｂに与えるストレスが大きい釘１３に加わる衝撃を遊技盤１１ａおよび固定盤１１ｂの双方に分散させることができる。したがって、遊技盤１１ａおよび固定盤１１ｂの破損や、釘１３の脱落（抜け）が生じる事態を一層確実に回避することができる。
【００２５】
また、このパチンコ台１によれば、遊技盤１１ａおよび固定盤１１ｂの表裏両面に無反射コートを施したことにより、画像Ｇの表示効率の低下を回避し、または、軽減することができるため、画像Ｇを明るく表示させることができる。また、パチンコ台１を設置した遊技場内の照明の遊技盤１１ａ、固定盤１１ｂおよびガラス板１８ａに対する写り込みを回避することができる。
【００２６】
なお、本発明は、上記の構成に限定されない。例えば、上記のパチンコ台１では、背面投射型のプロジェクタ装置で構成した表示装置４を搭載して画像Ｇを表示させているが、本発明における表示部の構成はこれに限定されず、フロント投射型のプロジェクタ装置、ＬＣＤ、ＣＲＴ、ＰＤＰ（プラズマディスプレイ）および有機ＥＬディスプレイなどの各種表示器を備えて構成することができる。また、上記のパチンコ台１では、遊技盤１１ａおよび固定盤１１ｂを樹脂材料で形成しているが、本発明における遊技盤および遊技用部品固定盤の材質はこれに限定されず、ガラス等、光透過性を有する各種の材料で形成することができる。さらに、遊技盤や遊技用部品固定盤については、その全面が光透過性を有している必要はなく、少なくとも、表示部に表示される画像が視認できるように部分的に光透過性を有するように構成することもできる。また、遊技用部品固定盤は遊技盤全面を覆う大きさに形成する必要はなく、少なくとも表示部の一部を覆うような大きさに形成して配置することもできる。さらに、すべての遊技用部品を遊技用部品固定盤と遊技盤とに架け渡して固定する必要はなく、少なくとも釘を遊技用部品固定盤と遊技盤とに架け渡して固定すればよい。
【００２７】
また、上記のパチンコ台１では、釘１３を挿通孔Ｈａに挿通させて固定し、風車１７のシャフト１７ａを挿入穴Ｈｂに挿入して固定したが、遊技用部品を固定するための構成はこれに限定されず、例えば、釘１３を挿入穴Ｈｂに挿入して固定し、風車１７のシャフト１７ａを挿通孔Ｈａに挿通させて固定することもできる。さらに、上記のパチンコ台１では、遊技盤１１ａおよび固定盤１１ｂの表裏両面に無反射コートを施して構成しているが、本発明はこれに限定されず、遊技盤１１ａおよび固定盤１１ｂの表裏いずれか一方の面に施すこともできる。
【００２８】
また、本発明における遊技機をパチンコ台１に適用した例について上記したが、例えば、図５，６に示すピンボールマシン１０１（本発明に係る遊技機の他の一例）に本発明を適用することもできる。なお、このピンボールマシン１０１では、パチンコ台１と同様にして、基本的に本発明が適用されている。したがって、パチンコ台１と同じ各構成要素については同一の符号を付して重複する説明を省略する。このピンボールマシン１０１は、図５に示すように、その背面側に配設されている画像表示ユニット２１に表示される画像Ｇを視認可能とするために光透過性を有する材料（一例として、ポリカーボネート等の樹脂材料）で平板状に形成された遊技盤１０２ａおよび遊技用部品固定盤（以下、「固定盤」ともいう）１０２ｂを備えて構成されている。
【００２９】
この場合、遊技盤１０２ａおよび固定盤１０２ｂの間には、フリッパーやバンパーなどの複数の遊技用部品１０３，１０３・・が架け渡されるようにして固定されている。したがって、このピンボールマシン１０１によれば、上記のパチンコ台１と同様にして、遊技盤１０２ａおよび固定盤１０２ｂを透しての画像Ｇの視認を可能としつつ、遊技球Ｂの衝突によって遊技用部品１０３に加わる衝撃は、挿入穴Ｈｂを形成する壁面の全域を介して遊技盤１０２ａおよび固定盤１０２ｂの双方における厚み方向のほぼ全域に分散するようにして伝達される。このため、遊技盤１０２ａおよび固定盤１０２ｂにおける挿入穴Ｈｂの口縁部にストレスが集中する事態が回避される結果、遊技盤１０２ａおよび固定盤１０２ｂの破損や、遊技用部品１０３の脱落（抜け）が生じる事態を回避することができる。さらに、本発明に係る遊技機は、パチンコ台およびピンボールマシンに限定されず、各種のアーケードゲーム機も本発明における遊技機に含まれる。
【図面の簡単な説明】
【００３０】
【図１】パチンコ台１の正面図である。
【図２】パチンコ台１の側面断面図である。
【図３】遊技盤１１ａおよび固定盤１１ｂにおける釘１３，１３・・近傍の側面断面図である。
【図４】遊技盤１１ａおよび固定盤１１ｂにおける風車１７近傍の側面断面図である。
【図５】ピンボールマシン１０１の正面図である。
【図６】ピンボールマシン１０１の側面断面図である。
【符号の説明】
【００３１】
１  パチンコ台、２  遊技機構、４  表示装置、１１ａ，１０２ａ  遊技盤、１１ｂ，１０２ｂ  遊技用部品固定盤、１２  駆動機構、１３  釘、１７  風車、１７ａ  シャフト、２３  スクリーンパネル、１０１  ピンボールマシン、１０３  遊技用部品、Ｂ  遊技球、Ｇ  画像、Ｓ  遊技部
【図１】
2005124628.tif 000003
【図２】
2005124628.tif 000004
【図３】
2005124628.tif 000005
【図４】
2005124628.tif 000006
【図５】
2005124628.tif 000007
【図６】
2005124628.tif 000008